(57)【特許請求の範囲】
【請求項１】
液晶表示パネルと、
外部装置から前記液晶表示パネルの一部分であるウィンドウ領域に対応する表示データと、前記表示データが前記液晶表示パネル上に表示されるべき位置情報と、前記表示データの拡大率を含む制御パラメータとを受信する表示制御回路と、
前記液晶表示パネルで表示される少なくとも一画面分の画像データを格納できる容量を有し、前記液晶表示パネルの表示位置と格納位置とを対応させて前記画像データを格納する格納手段とを有し、
前記外部装置から入力される表示データは、前記液晶表示パネルを縦横複数のドットを含む所定領域毎に細分したデータ毎に、複数のパケットデータとして送られてくるものであり、
前記表示制御回路は、
前記パケットデータを前記拡大率に従って拡大し、前記位置情報に対する前記拡大率に応じたアドレスを計算して前記液晶表示パネルにおける表示位置に対応する前記格納手段の格納位置に拡大後の前記パケットデータを格納するためのアドレスを生成し、前記液晶表示パネルにおける表示位置に対応する前記格納手段の格納位置に拡大後の前記パケットデータを格納し、
前記格納手段に格納された前記パケットデータを含む前記液晶表示パネルの一画面分のデータを読み出し、前記液晶表示パネルに表示する、ことを特徴とする液晶表示装置。
【請求項２】
請求項１記載の液晶表示装置において、
前記所定領域は、前記液晶表示パネルのうちの前記ウィンドウ領域を縦横複数のドット毎に細分したものであることを特徴とする液晶表示装置。
【請求項３】
請求項１記載の液晶表示装置において、
前記外部装置から入力される前記制御パラメータの位置情報は、前記液晶表示パネルの全体画面に対する所定領域の位置又は前記ウィンドウ領域に対する前記所定領域の位置を特定する本信号アドレスと、前記表示データが前記液晶表示パネル上で表示されるべき表示位置を水平方向と垂直方向とで表すアドレス情報とを含むことを特徴とする液晶表示装置。
【請求項４】
請求項１記載の液晶表示装置において、
前記表示制御回路は、
前記格納手段に前記表示データを格納する際には、前記表示データが前記液晶表示パネルにおける表示位置に対応する前記格納手段の格納位置のみ表示データの上書きを行い、
前記格納手段から表示データを読み出す際には、前記液晶表示パネルの全領域に対応する表示データを読み出し、前記液晶表示パネルに出力することを特徴とする液晶表示装置。
【請求項５】
請求項１記載の液晶表示装置において、
前記表示データは、シリアルデータであり、
前記表示制御回路は、前記シリアルデータをＲ，Ｇ，Ｂのパラレル表示データに拡大することを特徴とする液晶表示装置。
【請求項６】
請求項１記載の液晶表示装置において、
前記表示データは、ＬＶＤＳ（ロー  ボルテージ  ディファレンシャル  シグナリング）シリアルデータまたは、ＧＶＩＦ（ギガ−ビット  ビデオ  インターフェース）であり、
前記表示制御回路は、前記シリアルデータをＲ，Ｇ，Ｂのパラレル表示データに拡大することを特徴とする液晶表示装置。
【請求項７】
外部装置から前記液晶表示パネルの一部分であるウィンドウ領域に対応する表示データであって前記液晶表示パネルを縦横複数のドットを含む所定領域毎に細分したデータ毎に複数のパケットデータとして送られてくる表示データと、前記表示データが前記液晶表示パネル上に表示されるべき位置情報と、前記表示データの拡大率を含む制御パラメータとを受信し、
前記パケットデータを前記拡大率に従って拡大し、前記位置情報に対する前記拡大率に応じたアドレスを計算して前記液晶表示パネルにおける表示位置に対応する前記格納手段の格納位置に拡大後の前記パケットデータを格納するためのアドレスを生成し、
液晶表示パネルで表示される少なくとも一画面分の表示データを格納できる容量を有する格納手段の前記液晶表示パネルの表示位置に対応する格納位置に拡大後の前記パケットデータを格納し、
前記格納手段に格納された前記パケットデータを含む前記液晶表示パネルの一画面分のデータを読み出し、前記液晶表示パネルに表示する、ことを特徴とする液晶表示装置におけるウィンドウ表示拡大制御方法。
【請求項８】
請求項７記載のウィンドウ表示拡大制御方法において、
前記所定領域は、前記液晶表示パネルのうちの前記ウィンドウ領域を縦横複数のドット毎に細分したものであることを特徴とするウィンドウ表示拡大制御方法。
【請求項９】
請求項７記載のウィンドウ表示拡大制御方法において、
前記外部装置から入力される前記制御パラメータの位置情報は、前記液晶表示パネルの全体画面に対する所定領域の位置又は前記ウィンドウ領域に対する前記所定領域の位置を特定する本信号アドレスと、前記表示データが前記液晶表示パネル上で表示されるべき表示位置を水平方向と垂直方向とで表すアドレス情報とを含むことを特徴とするウィンドウ表示拡大制御方法。
【請求項１０】
請求項７記載のウィンドウ表示拡大制御方法において、
前記格納手段に前記表示データを格納する際には、前記表示データが前記液晶表示パネルの表示位置に対応する前記格納手段の格納位置のみ表示データの上書きを行い、前記格納手段から表示データを読み出す際には、前記液晶表示パネルの全領域に対応する表示データを読み出し、前記液晶表示パネルに出力することを特徴とする、ウィンドウ表示拡大制御方法。
【請求項１１】
請求項７記載のウィンドウ表示拡大制御方法において、
前記表示データは、シリアルデータであり、
前記表示制御回路は、前記シリアルデータをＲ，Ｇ，Ｂのパラレル表示データに拡大することを特徴とするウィンドウ表示拡大制御方法。
【請求項１２】
請求項７記載のウィンドウ表示拡大制御方法において、
前記表示データは、ＬＶＤＳ（ロー  ボルテージ  ディファレンシャル  シグナリング）シリアルデータまたは、ＧＶＩＦ（ギガ−ビット  ビデオ  インターフェース）であり、
前記表示制御回路は、前記シリアルデータをＲ，Ｇ，Ｂのパラレル表示データに拡大することを特徴とするウィンドウ表示拡大制御方法。
【発明の詳細な説明】
【０００１】
【発明の属する技術分野】
本発明は、表示装置に関し、特に、ＰＣ、ＷＳ等に接続するデジタルインタフェース表示装置に関する。
【０００２】
【従来の技術】
従来、表示画像はパーソナルコンピュータ（ＰＣ）等からなるホスト装置のグラフィックコントローラが処理を行い、表示装置に転送する。この表示装置が、近年、ホスト装置の処理能力以上の進歩を遂げてきている。例えば、ＬＣＤにおいては、従来のＸＧＡ（１０２４×７６８ドット）、ＳＸＧＡ（１２８０×１０２４ドット）、ＵＸＧＡ（１６００×１２００）から、さらに高精細であるＱＸＧＡ（２０４８×１５３６ドット）、ＱＳＸＧＡ（２５６０×２０４８ドット）、ＱＵＸＧＡ（３２００×２４００）等の超高精細パネルが実用化されつつある。その一方で、一般的なグラフィックコントローラの性能はＱＸＧＡ程度が限界であり、動画ではＶＧＡ程度が限界となっている。
【０００３】
また、ＬＣＤパネルは、近年、複数のパネルをまとめて一枚のパネルとする「マルチパネル」が実用化され、更なる高精細化が可能となっている。
【０００４】
さらに、超高精細に対応した表示データを転送する場合、精細度が増えるほど転送レートを大きくする必要があるため、近年、ＬＶＤＳ（Ｌｏｗ  Ｖｏｌｔａｇｅ  Ｄｉｆｆｅｒｅｎｔｉａｌ  Ｓｉｇｎａｌｉｎｇ）、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）、ＧＶＩＦ（Ｇｉｇａｂｉｔ  Ｖｉｄｅｏ  ＩｎｔｅｒＦａｃｅ）といった、低電圧差動方式のデジタルインタフェースが広まりつつあり、これらの信号線数を増やすことにより、上記高精細化の対応は可能である。
【０００５】
また、特開平７−１６８５５７号公報のような、パソコンなどのディスプレイ１に表示される各画像の任意の範囲の画像データを高精細な二次表示部に転送し、そこでこれらの画像A,B,C・・を組合わせ表示するようにしたもので、新たな画像Cについて、そのサイズデータとそれまでに表示されている画像A,Bの表示位置から画像Cの表示位置を導出する方式が検討されている。
【０００６】
【発明が解決しようとする課題】
しかし、前記ＬＶＤＳ等の従来技術では、精細度が上がる度に、または、ウィンドウ領域の大きさによって、それに応じた大きな転送レートが要求され、信号線数を増やすといった新規のインタフェース開発や、ＬＳＩ開発が必要となる。
【０００７】
また、上記特開平７−１６８５５７号公報に記載の発明では、既に表示されているウィンドウに応じて新規なウィンドウの表示位置を管理するものの、PC側から新規なウィンドウの位置や大きさを直接定義付けることは考慮されていない。
【０００８】
本発明の目的は、ＶＧＡ程度の動画像等のウィンドウ領域を、転送レートを上げることなく、超高精細、あるいはマルチパネルといった大画面表示装置に表示する液晶表示装置およびウィンドウ表示拡大制御方法を提供するものである。
【０００９】
【課題を解決するための手段】
本発明の液晶表示装置は、液晶表示パネルと、外部装置から液晶表示パネルの一部分である矩形領域（ウィンドウ）に対応する表示データと、表示データが液晶表示パネル上に表示されるべき位置情報と、表示データの拡大率を含む制御パラメータとを受信する表示を受信する表示制御回路と、液晶表示パネルで表示される少なくとも一画面分の画像データを格納できる容量を有し、液晶表示パネルの表示位置と格納位置とを対応させて画像データを格納する格納手段とを有する。そして、表示制御回路は、表示データを制御パラメータに従って、液晶表示パネルに出力する画像データに変換して、画像データを液晶表示パネルにおける表示位置に格納手段の格納位置を対応させて出力し、格納手段に格納された画像データを含む液晶表示パネルの一画面分のデータを読み出し、液晶表示パネルに表示するよう構成した。
【００１０】
また、本発明の他の態様の液晶表示装置は、複数の液晶表示パネルと、複数の液晶表示パネルのそれぞれに対応して設けられる表示制御回路と、格納手段とを有し、表示制御回路の一つは、外部装置から複数の液晶表示パネルで構成される一つの表示画面の一部分である矩形領域（ウィンドウ）に対応する表示データと、表示データが複数の液晶表示パネルで構成される表示画面上に表示されるべき位置情報と、表示データの拡大率を含む制御パラメータとを含む制御パラメータを受信し、受信した表示データを処理すべきか否かを制御パラメータの位置情報に基づいて判定し、該判定の結果、自身が処理すべき表示データを制御パラメータに従って画像データに変換し、他の表示制御回路が処理すべき表示データを当該他の表示制御回路に出力するものであり、各格納手段の一つは、複数の液晶表示パネルの一つの液晶表示パネルで表示される少なくとも一画面分の表示データを格納する容量を有し、対応する表示制御回路によって変換された画像データを、制御パラメータに従って表示パネルにおける表示位置と格納位置とを対応させて格納するものであり、各表示制御回路は、対応する格納手段に格納された画像データを含む液晶表示パネルの一画面分のデータを読み出し、対応する液晶表示パネルに表示するよう構成した。
【００１１】
さらに、本発明のウィンドウ表示拡大制御方法は、外部装置から液晶表示パネルの一部分である矩形領域（ウィンドウ）に対応する表示データと、表示データが液晶表示パネル上に表示されるべき位置情報と、表示データの拡大率を含む制御パラメータとを受信し、表示データを制御パラメータに従って、液晶表示パネルに出力する画像データに変換し、液晶表示パネルで表示される少なくとも一画面分の画像データを格納できる容量を有する格納手段に、液晶表示パネルの表示位置と格納位置とを対応させて画像データを格納し、画像データを液晶表示パネルにおける表示位置に格納手段の格納位置を対応させて出力し、格納手段に格納された画像データを含む液晶表示パネルの一画面分のデータを読み出し、液晶表示パネルに表示するよう構成した。
【００１２】
【発明の実施の形態】
（実施形態１）
以下、本発明の実施例の第１の形態を、図面を用いて詳細に説明する。
【００１３】
図１は本発明の一実施形態である液晶表示装置の例である。
【００１４】
図１において、２００はパーソナルコンピュータ等の外部情報処理装置であり、２０２は例えば外部情報処理装置２００に具備されるグラフィックコントローラであり、２０３は、ＰＣＩバス等のシステムバスであり、グラフィックコントローラ２０２をバスアダプター（図示せず）を介して、外部情報処理装置２００のプロセッサ（図示せず）や主記憶（図示せず）に接続する。２０４は、ディジタルインターフェースであり、外部バス２０６を介して液晶表示装置２０１のディジタルインタフェース２０５と接続される。
【００１５】
１は垂直同期信号、２は水平同期信号、３はデータ有効信号、４は表示データ、５は同期クロックであり、垂直同期信号１は表示一画面周期の信号、水平同期信号２は一水平周期の信号、データ有効信号３は表示データ４が有効である期間を示す信号で、全て同期クロック５に同期して入力される。本実施形態では、これら表示データが、従来どおり、一画面分がラスタスキャン形式で転送される場合（従来モード）と、表示更新部分のみパケット化されて転送される場合（パケットモード）の２種類があるものとして以下説明する。
【００１６】
６は通信データ、７は通信クロックであり、ホスト側から表示データのモード等の情報を転送したり、ディスプレイ側から表示解像度やデータ転送エラー情報等を転送する双方向通信データ及び同期クロックである。本実施例では、通信データ６、通信クロック７はＤＤＣ（Ｄｉｓｐｌａｙ  Ｄａｔａ  Ｃｈａｎｎｅｌ）形式であるものとして以下説明する。
【００１７】
８は表示制御部、９はデータ線駆動用信号、１０は走査線駆動用信号、１１は格納・読出しコマンド信号、１２は格納・読出しアドレス、１３は格納データ、１４は画面格納手段、１５は画面読出しデータであり、表示制御部８は、表示データ４が従来モードか、パケットモードかを判断し、従来モードの場合は、液晶パネル（後述）の解像度に合わせて表示データ４を変換し、少なくとも液晶パネルの一画面分を格納可能な画面格納手段１４へ一旦格納するための格納・読出しコマンド信号１１、格納・読出しアドレス１２、格納データ１３を生成する。また、液晶パネルの表示タイミングに合わせて一画面分の表示データを読み出すよう、格納・読出しコマンド信号１１、格納・読出しアドレス１２を生成する。画面格納手段１４は格納・読出しコマンド１１、格納・読出しアドレスに従って、格納データ１３を格納、あるいは画面読出しデータ１５を読み出す。本実施例では、画面格納手段１４は、液晶パネル２０一画面分の表示データを格納するものとして以下説明する。
【００１８】
表示制御部８は画面読出しデータ１５から、データ線駆動用信号９、走査線駆動用信号１０を生成する。この動作は、従来の動作と同様である。
【００１９】
パケットモードの場合は、表示データ４に含まれる表示位置や拡大率等のパラメータに従って、液晶パネルの一画面上に書き込むように、画面格納手段１４に格納するための格納・読出しコマンド信号１１、格納・読出しアドレス１２、格納データ１３を生成する。また、従来モードと同様に、液晶パネルの表示タイミングに合わせて一画面分の表示データを読み出すよう、格納・読出しコマンド信号１１、格納・読出しアドレス１２を生成する。画面格納手段１４は、従来モードと同様に、格納・読出しコマンド１１、格納・読出しアドレスに従って、格納データ１３を格納、あるいは画面読出しデータ１５を読み出す。表示制御部８は画面読出しデータ１５から、データ線駆動用信号９、走査線駆動用信号１０を生成する。この動作も従来モードと同様である。詳細は後で説明する。１６はデータ線駆動手段、１７はデータ線駆動信号、１８は走査線駆動手段、１９は走査線駆動信号、２０は液晶パネルであり、液晶パネル２０への表示動作は従来と同様である。本実施例では、液晶パネル２０は１２８０×１０２４ドットの解像度を持つものとして以下説明する。
【００２０】
図２は図１記載の表示制御部８の内部構成の一実施例である。
【００２１】
図２において、２１はパラメータ制御部、２２はパラメータデータ、２３はパラメータアドレス、２４はパラメータライトストローブ、２５は拡大制御部、２６はデータ転送エラー信号、２７は拡大表示データ、２８は拡大表示データアドレス、２９は拡大制御部、３０は格納タイミング信号、３１は液晶パネル表示データ、３２は液晶表示信号生成部であり、パラメータ制御部２１は、拡大制御部２５、格納制御部２９、液晶表示信号生成部３２が必要とする制御パラメータを、パラメータデータ２２として、予め決められたパラメータアドレス２３を付加してパラメータライトストローブ２４のタイミングで出力する。拡大制御部２５、格納制御部２９、液晶表示信号生成部３２は、パラメータアドレス２３から、自身が必要とするパラメータであるかどうかを判断して、パラメータデータ２２を取り込む。本実施形態では、本発明に関係する拡大制御部に必要な、表示データの転送モードがこのパラメータに含まれるものとして以下説明する。さらに、パラメータ制御部２１は、拡大処理部２５が表示データ４の受信時にエラーが生じた場合に出力するデータ転送エラー信号２６を受け取り、ホスト側に通信データを介して転送する。拡大制御部２５は、パラメータアドレス２３から、予め決められた表示データ転送モードを表すパラメータアドレスであるかどうかを判断し、パラメータデータ２２を取り込む。ここでは、パラメータデータ“１”のとき表示データ転送モードがパケットモードであるものとして以下説明する。次に、拡大制御部２５は、従来モードのときは、垂直同期信号１、水平同期信号２、データ有効信号３、表示データ４、同期クロック５、格納タイミング信号３０から、拡大表示データ２７、拡大表示データアドレス２８を生成し、パケットモードのときは、データ有効信号３、表示データ４、同期クロック５、格納タイミング信号３０から、拡大表示データ２７、拡大表示データアドレス２８を生成する。格納制御部２９は、液晶パネル２０の表示タイミングに合わせて、液晶表示データ３１を出力するよう、格納・読出しコマンド１１、格納・読出しアドレス１２を生成し、画面格納手段１４から、画面読出しデータ１５を読出すとともに、拡大表示データ２７を拡大表示データアドレス２８に従ったアドレスに格納するために、格納・読出しコマンド１１、格納・読出しアドレス１２、格納データ１３を生成する。本実施例では、パラメータ制御部２１からのパラメータは必要としないものとして以下説明する。液晶表示信号生成部３２は、液晶表示データ３１から、データ線駆動手段１６が動作するためのデータ、タイミング信号を含むデータ線駆動用信号９と、走査線駆動手段１８が動作するためのタイミング信号を含む走査線駆動用信号１０を生成する。この動作は、従来の動作と同様である。ここでも、パラメータ制御部２１からのパラメータは必要としないものとして以下説明する。
【００２２】
図３は図１記載のデータ有効信号３及び表示データ４のパケットモードの一実施例である。
【００２３】
図３において、３３は第１パケット、３４は第２パケット、３５は第３パケットであり、データ有効信号３が“１”期間中有効なデータとなる。名前は便宜上つけただけのものである。３６は先頭信号、３７は本信号、３８は終了信号、３９はウィンドウＩＤ、４０は本信号タイプ、４１は本信号アドレス、４２はウィンドウ水平方向スタート位置、４３はウィンドウ垂直方向スタート位置、４４はウィンドウ拡大率、４５はウィンドウ表示データであり、本信号３７は、ウィンドウのパラメータを示す場合と、表示データを示す場合がある。例えば、第１パケット３３でウィンドウのパラメータを転送し、第２パケット３４以降で、表示データを転送する。先頭信号３６は、パケットの開始を示す信号で、本実施例では、表示データの属するウィンドウのＩＤを示すウィンドウＩＤ３９、本信号３７が先述したパラメータであるのか、表示データであるのかを示す本信号タイプ４０、本信号が表示データである場合の表示位置を示す本信号アドレス４１を含むものとして以下説明する。
【００２４】
また、本信号３７がパラメータの場合は、ウィンドウＩＤ３９が示すウィンドウの水平方向のスタート位置を示すウィンドウ水平方向スタート位置４２、ウィンドウＩＤ３９が示すウィンドウの垂直方向のスタート位置を示すウィンドウ垂直方向スタート位置４３、ウィンドウＩＤ３９が示すウィンドウを拡大表示する場合の拡大率を示すウィンドウ拡大率４４を含み、表示データの場合は、ウィンドウＩＤ３９が示すウィンドウ内の表示データのみを含むものとして以下説明する。ここで、ウィンドウ表示データ４５は、ウィンドウ内の表示データを全て転送することも考えられるが、ウィンドウの大きさによってパケットの長さが変わってしまうと処理が複雑となることもあり、本実施例では、１６×１６ドットの領域毎に表示データを転送するものとして以下説明する。また、第１パケット３３の本信号がパラメータ、第２パケット３４、第３パケット３５の本信号が表示データとして以下説明する。
【００２５】
図４は、本発明におけるウィンドウ、パケットの概念を示す図である。
【００２６】
図４において、４６は全体画面、４７はウィンドウ領域、４８はウィンドウ領域スタート位置、４９はパケット領域、５０はパケット領域スタート位置であり、全体画面４６は、本実施例では１２８０×１０２４ドットの解像度を持ち、そのなかにウィンドウ領域４７の表示データを転送する。このとき、パケット領域４９からスタートし、同じ大きさのパケットを２０回転送することにより、ウィンドウ領域４７の表示データを転送することとする。ウィンドウ領域スタート位置４８の座標が、図３におけるウィンドウ水平方向スタート位置４２、ウィンドウ垂直方向スタート位置４３にあたり、パケット領域スタート位置５０の座標が、図３における本信号アドレス４１にあたる。
【００２７】
図５は、図２記載の拡大制御部２５の内部構成の一実施例を示す図である。
【００２８】
図５において、５１はパラメータ格納部、５２はデータ転送モード信号、５３はデータ拡大率、５４はデータ表示位置、５５は本信号分離部、５６はパケットモード表示有効信号、５７はパケットモード表示データ、５８はパケットモード同期クロック、５９はパケットモードパラメータであり、パラメータ格納部５１は、パラメータアドレス２３が表示データの転送モードを示すアドレスのとき、パラメータデータ２２を、パラメータライトストローブ２４に従って取り込み、データ転送モード信号５２として出力する。
【００２９】
本信号分離部５５は、データ転送モード信号５２が、パケットモードを示す“１”のとき、先頭信号、終了信号と、本信号を分離し、パケットモード表示有効信号５６、パケットモード表示データ５７、パケットモード同期クロック５８を生成するとともに、先頭信号、本信号に含まれるウィンドウ拡大率、ウィンドウ表示スタート位置等の制御パラメータを、パケットモードパラメータ５９として出力する。
【００３０】
また、受信エラー時には、転送エラー信号２６を出力する。パラメータ格納部５１は、パケットモードパラメータ５９を格納し、データ拡大率５３、データ表示位置５４として出力する。６０はデータ拡大処理部であり、データ転送モード信号５２が、従来モードを示す“０”のときは、垂直同期信号１、水平同期信号２、データ有効信号３、表示データ４、同期クロック５から拡大表示データ２７を生成し、データ転送モード信号５２が、パケットモードを示す“１”のときは、パケットモード表示有効信号５６、パケットモード表示データ５７、パケットモード同期クロック５８から拡大表示データ２７を生成する。６１はアドレス処理部であり、データ転送モード信号５２が、従来モードを示す“０”のときは、垂直同期信号１、水平同期信号２、データ有効信号３から拡大表示データアドレス２８を生成し、データ転送モード信号５２が、パケットモードを示す“１”のときは、データ拡大率５３、データ表示位置５４から拡大表示データアドレス２８を生成する。
【００３１】
図６は、本信号分離部５５の、パケットデータの分離動作の詳細の一実施例を示す図である。
【００３２】
図６において、第１パケット３３は、本信号がパラメータであるため、パケットモード表示データ５７、パケットモード表示有効信号５６は有効としない。第２パケット３４、第３パケット３５は、本信号がウィンドウ表示データ４５であるため、その部分のみ、パケットモード表示データ５７、パケットモード表示有効信号５６を有効とする。このとき、先頭信号３６、終了信号３８の部分も有効としない。
【００３３】
図７は、読出しデータ１５と、表示データ４から格納表示データ１３までの関係の一実施例を示す図である。
【００３４】
図７において、６２は第１ライン読出しデータ、６３は第１ライン帰線期間、６４は第２ライン読み出しデータ、６５は第２ライン帰線期間であり、従来の液晶パネルの表示タイミングに従った一ラインづつのラスタスキャンに対応した読出しデータ及び帰線期間である。６６は第４パケットデータ、６７は第５パケットデータであり、図３記載の第１パケットデータ３３、第２パケットデータ３４、第３パケットデータに続くパケットデータである。本実施例では、第４パケットデータ６６、第５パケットデータ６７は、第２パケットデータ３４、第３パケットデータ３５と同様に、本信号が表示データであるものとして以下説明する。
【００３５】
６８は第２パケット表示データ、６９は第３パケット表示データ、７０は第４パケット表示データ、７１は第５パケット表示データであり、各々第２パケットデータ３４、第３パケットデータ３５、第４パケットデータ６６、第５パケットデータ６７の本信号の部分にあたる。７２は第２パケット拡大表示データ、７３は第３パケット拡大表示データ、７４は第４パケット拡大表示データ、７５は第５パケット拡大表示データであり、各々第２パケット表示データ６８、第３パケット表示データ６９、第４パケット表示データ７０、第５パケット表示データ７１を拡大したデータである。７６は第２パケット格納データ、７７は第３パケット格納データ、７８は第４パケット格納データ、７９は第５パケット格納データであり、各々第２パケット拡大表示データ７２、第３パケット拡大表示データ７３、第４パケット拡大表示データ７４、第５パケット拡大表示データ７５を、読出し動作の空き時間にあたる第１ライン帰線期間６３、第２ライン帰線期間６５に割り当てる。本実施例では、読出し動作優先で、その空き時間、つまり帰線期間に書き込み動作を行うものとして以下説明する。
【００３６】
図８は、一連の拡大動作を、画面イメージで示した図である。
【００３７】
図８において、８０はオリジナル全画面、８１はオリジナルウィンドウ画面、８２はウィンドウ表示サイズであり、ホスト側は、オリジナル画面８０上に、オリジナルウィンドウ画面８１を、ウィンドウ表示サイズ８２の位置、および大きさで表示しようとしている。８３はウィンドウ転送画面、８４は拡大ウィンドウ画面であり、ウィンドウ転送画面８３は拡大制御部２５の受信画面であり、拡大ウィンドウ画面８４は、拡大制御部２５の出力画面である。８５は格納全画面、８６は格納ウィンドウ画面であり、格納全画面８５は、オリジナル全画面と同一である画面格納手段１４上の全画面、格納ウィンドウ画面８６は、拡大ウィンドウ画面８４を画面格納手段１４上に書き込んだものである。８７は液晶表示全画面であり、画面格納手段１４上の格納全画面８５を、格納ウィンドウ画面８６と一緒に順次読出し、表示したものである。
【００３８】
以下、図１〜８を用いて、本実施形態における、パケットデータの拡大処理について説明する。
【００３９】
まず、図１、２を用いて、データ処理の流れを説明する。
【００４０】
図１で、表示制御部８は、通信クロック７に同期して送られてくる通信データ７に含まれる表示データモードから、表示データ４が従来のラスタスキャン方式であるか、画面上をある領域で区切り、表示データを更新したい領域のみのデータを転送するパケット転送方式であるかを判断し、モードに応じた表示データ処理を行い、画面格納手段１４に格納表示データ１３を格納する。また、液晶パネル２０の表示タイミングに合わせて、画面格納手段から一画面分の表示データを読出し、データ線駆動用信号９、走査線駆動用信号１０を出力する。詳細は後で説明する。画面格納手段１４は、少なくとも液晶パネル２０の一画面分の容量を持ち、一般的にはＳＤＲＭ（Ｓｙｎｃｈｒｏｎｏｕｓ  ＤｙｎａｍｉｃＲａｎｄｏｍ  Ａｃｃｅｓｓ  Ｍｅｍｏｒｙ）と呼ばれるメモリ手段が用いられる。データ線駆動手段１６、走査線駆動手段１８、液晶パネル２０は既に広く利用に供されているものを用いればよいため、詳細は省略する。
【００４１】
図２を用いて、図１記載の表示制御部８の動作の概要について説明する。
【００４２】
図２で、パラメータ制御部２１は、ホスト側からの通信データ６、通信クロック７を介して転送される制御パラメータから、拡大制御部２５で必要な、表示データを従来のラスタスキャンデータで転送するか、表示を更新したい部分のデータのみをパケットデータで転送するかを示すデータ転送パラメータを、また、予め格納している制御パラメータから、拡大制御部２５で必要な拡大率パラメータを、予め決められたパラメータアドレス２２を付加し、パラメータデータ２３として、パラメータライトストローブ２４に同期して出力する。拡大制御部２５は、パラメータアドレス２２がデータ転送モード、または拡大率を示すアドレスのとき、パラメータライトストローブ２４のタイミングに従って、パラメータデータ２３、つまりデータ転送モードと拡大率のパラメータを取り込んでおく。詳細は後で説明する。
【００４３】
次に、拡大制御部２５は、取り込んだデータ転送パラメータ、拡大率に従って、垂直同期信号１、水平同期信号２、データ有効信号３、表示データ４、同期クロック５から、拡大表示データアドレス２７、拡大表示データ２８を生成する。出力タイミングは格納タイミング信号３０に従う。詳細は後で説明する。格納制御部２９は、液晶パネル２０の表示タイミングに従って画面格納手段１４のデータを読み出すための格納・読み出しコマンド１１を読出しコマンドとして出力し、合わせて、格納・読出しアドレス１２を出力する。読み出された格納読出しデータ１５は、液晶表示データ３１として出力する。また、読出しタイミング以外で画面格納部１４へ拡大表示データを書き込むよう、格納タイミング信号３０を出力し、それに従って出力される拡大表示データアドレス２７、拡大表示アドレス２８から、格納・読出しコマンド１１を格納コマンドとして生成し、合わせて、格納読出しアドレス１２、格納データ１３を生成する。液晶表示信号生成部３２は、従来と同様に、液晶表示データ３１から、データ線駆動用信号９と走査線駆動用信号１０を生成する。
【００４４】
図３、４を用いて、表示データ転送モードがパケットモードのときの表示データ４の詳細について説明する。
【００４５】
図３で、データ有効信号３は、表示データ４が有効な期間“１”となることを示している。従来モードのときは、データ有効信号３が“１”のとき表示データのみが入力されるのに対し、パケットモードのときは、表示データが転送される場合と、その表示データの拡大率や表示位置等の表示制御パラメータが転送される場合がある。第１パケットデータ３３において、ウィンドウ表示データが転送される前に表示制御パラメータが転送され、その後の第２パケットデータ３４、第３パケットデータ３５と、ウィンドウ領域内のデータが実際の液晶パネル上の１６×１６ドットの領域づつ転送される。各々、ウィンドウ表示データ有効信号３が“１”の期間、表示データあるいは表示制御パラメータである本信号３７に加え、先頭信号３６、終了信号３８が付加されている。先頭信号３６は、表示データが属するウィンドウのＩＤと、先頭信号３６の次に転送される本信号３７が、表示データであるか表示制御パラメータであるかを示す本信号タイプ４０と、本信号３７が表示データである場合のその表示位置を示す本信号アドレス４１で構成される。この本信号アドレス４１は、全体画面４６の内のいずれの位置でも指定できる位置情報であっても、上記ウィンドウＩＤによって特定された中の位置を指定できる位置情報でもよいが、本信号アドレス４１の長さを短くするためには当然のことながら、後者のほうが優位である。終了信号３８はエラー検出のためのパリティービットとなっている。
【００４６】
本信号３７は、表示データの場合は、実際の液晶パネル上の１６×１６ドットに相当する領域のＲＧＢ各々８ビットのウィンドウ表示データ４５であり、表示制御パラメータの場合は、ウィンドウ領域の水平方向のスタート位置アドレスであるウィンドウ水平方向スタート位置４２、垂直方向のスタート位置アドレスであるウィンドウ垂直方向スタート位置４３、ホスト側がウィンドウ領域を拡大したい拡大率であるウィンドウ拡大率４４で構成されている。
【００４７】
図４で、全体画面４６のうち、ホスト側が表示データを更新したい領域がウィンドウ領域４７でる場合、表示制御パラメータは、領域の左上端が、図３の水平方向ウィンドウスタート位置４２、垂直方向ウィンドウスタート位置４３にあたり、ウィンドウ拡大率４４とともに、表示データを転送する前のパケットにおいて、表示データとは別に転送される。ウィンドウ領域４７内の表示データは、１６×１６ドット単位のパケット領域４９毎に転送される。
【００４８】
本実施例では、ウィンドウ領域４７を一つとして説明しているが、この領域が増えた場合でも、先頭信号３６に含まれるウィンドウＩＤ３９の種類を増やして識別することにより、対応することが可能である。また、ウィンドウ表示データ４５以外のパラメータ等は、ＲＧＢ８ビット毎にすべて同一のものとし、異なった場合にエラーとするようなエラー検出を行っても良いし、ＲＧＢ合計２４ビット幅と考え、パケットの長さを短くすることも可能である。さらに、パケット領域を１６×１６ドットの矩形領域としているが、ウィンドウ領域内をラスタスキャンするようなライン転送としても良い。
【００４９】
図５、６を用いて、拡大処理部２５のパケットデータや拡大処理動作の詳細について説明する。
【００５０】
図５で、本信号分離部５５は、データ有効信号３の開始位置から、図３に示す本信号３７部分を抽出し、図６に示すように、本信号３７の期間のみ“１”となるパケットモード表示有効信号５６を生成し、本信号３７の部分のみをパケットモード表示データ５７とし、パケットモード表示データ同期クロック５８に同期して出力する。したがって、図６に示すようにパケットモード表示データ有効信号５６は、第２パケットデータ３４、第３パケットデータ３５のウィンドウ表示データ４５の部分のみ“１”となる信号となる。また、本信号分離部５５は、終了信号３８のパリティービットを利用し、エラーの場合に“１”となるよう、転送エラー信号２６を出力する。さらに、第１パケツトデータ３３の本信号３７に含まれる表示制御パラメータや、各パケットに含まれる先頭信号３６を抽出し、パケットモードパラメータデータ５９として出力する。パラメータ格納部５１は、パケットモードパラメータデータ５９を受け取り、データ拡大率５３、データ表示位置５４として出力する。パケットモードパラメータデータの種類は、データ有効信号３の開始位置からの位置で決まるため、タイミングで判別可能である。また、パラメータアドレス２２から、パラメータデータ２３が、拡大制御に必要なデータ転送モードを示すアドレスかどうかを判別し、パラメータライトストローブ２４のタイミングで取り込み、データ転送モード信号５２として出力する。ここでも、ホスト側からの制御に必要なパラメータを、データ転送モードのみとしているが、他に必要なパラメータがある場合でも、パラメータアドレスの種類を増やすことにより対応可能である。データ拡大部６０は、データ転送モード信号５２が従来モードを示す“０”のときには従来と同様の拡大処理を行い、垂直同期信号１、水平同期信号２、データ有効信号３．表示データ４、同期クロック５から、拡大表示データ２７を生成し、パケットモードを示す“１”のときには、データ拡大率５３に従った拡大処理を行い、パケットモード表示データ有効信号５６、パケットモード表示データ５７、パケットモード表示データ同期クロック５８から、拡大表示データ２７を生成する。アドレス処理部６１は、データ転送モード信号５２が従来モードを示す“０”のときには、画面格納部１４に一画面分すべてのデータを先頭から格納することになるため、垂直同期信号１、水平同期信号２、データ有効信号３から、拡大表示データアドレス２８を生成し、パケットモードを示す“１”のときには、画面格納部１４に転送されてくる領域の表示データのみを格納するよう、データ表示位置５４にデータ拡大率５３による拡大分のアドレス増加を計算し、拡大表示データアドレス２８を生成し、格納制御部２８に出力する。
【００５１】
図７を用いて、以上の拡大処理のタイミングについて説明する。
【００５２】
図７で、読出しデータ１５は、液晶パネル２０のラスタスキャンのタイミングに合わせて、一ライン毎に第１ライン読出しデータ６２、第１ライン帰線期間６３、第２ライン読出しデータ６４、第２ライン読出しデータ６５と、一定の周期に従って読み出すことを示している。表示データ４は、図３で示した第１パケットデータ３３、第２パケットデータ３４、第３パケットデータ３５に続いて、第４パケットデータ６６、第５パケットデータ６６が入力されることを示している。この第１〜第５パケットデータに対し、パケットモード表示データ５７は、図３に示すウィンドウ表示データ４５のみを有効とするため、表示制御パラメータを転送している第１パケットデータ３３からは何も転送せず、第２〜第５パケットデータのなかのウィンドウ表示データ部分である第２パケット表示データ６８、第３パケット表示データ６９、第４パケット表示データ７０、第５パケット表示データ７１を転送する。拡大表示データ２８は、第２〜第５パケット表示データを第１パケットデータにおいて転送されてきたウィンドウ拡大率に従って拡大するため、第２パケット拡大表示データ７２、第３パケット拡大表示データ７３、第４パケット拡大表示データ７４、第５パケット拡大表示データ７５に示すように、データの期間が大きくなっている。格納表示データ１３は、液晶パネル２０の表示がラスタスキャン方式であることから、読出しデータ１５が優先的に行われ、その帰線期間である第１ライン帰線期間６３、第２ライン帰線期間６５において、第２パケット格納データ７６、第３パケット格納データ７７、第４パケット格納データ７８、第５パケット格納データ７９が転送されることを示している。従って、図２に示す格納制御部２９には、数ライン分の格納手段を持つことが望ましいが、読出しの帰線期間をホスト側に知らせることにより、読出し帰線期間に合わせてデータ転送を行っても良いし、ホスト側からのデータ転送が読出し期間にぶつかってしまった場合、エラー信号を返信することにより再転送を要求しても良い。
【００５３】
図８を用いて、拡大処理を画面イメージで説明する。
【００５４】
図８で、従来モードはオリジナル全画面８０の表示データが一ライン毎、一定周期で転送されるラスタスキャン方式であり、パケット方式は、ホスト側が表示データを更新したい領域をオリジナルウィンドウ画面８１として、この領域の表示データのみを、さらに１６×１６ドットの領域に細分し、表示制御パラメータを付加した形式で転送する。このとき、ホスト側は、オリジナルウィンドウ画面８１を、ウィンドウ表示サイズ８２に拡大するための拡大率を付加している。したがって、ウィンドウ転送画面８３は、オリジナルのサイズであり、拡大処理によって、拡大ウィンドウ画面８４となる。格納全画面８５は、初期の立ち上げ時に書き込む必要があるが、その後は、更新部分のみが書き込まれるので、ここでは、拡大ウィンドウ画面８５のみが、格納ウィンドウ画面８６として書き込まれることを示している。液晶パネル表示は、格納全画面８５を、格納ウィンドウ画面８６も含めて読み出し、拡大したウィンドウ画面を貼りつけた形の液晶表示全画面８７を表示することを示している。
【００５５】
以上で、ウィンドウ領域の転送、拡大、表示が完了する。
【００５６】
（実施形態２）
本発明の実施例の第２の形態を、図面を用いて詳細に説明する。図面内で付した番号が実施形態１と同様のものは、構成、動作が同様であることを示す。
【００５７】
図９は本発明の一実施形態である液晶表示装置の例である。
【００５８】
図９において、３はデータ有効信号、４は表示データ、５は同期クロック、６は通信データ、７は通信クロックであり、実施形態１と同様であるが、本実施形態では、実施形態１で扱った従来モードは扱わず、パケットモードのみについて説明する。８８は第１液晶表示モジュール、８９は第２液晶表示モジュール、９０は第３液晶表示モジュール、９１は第４液晶表示モジュールであり、４つの液晶表示モジュールで一つの画面を構成している。本実施例では、第１〜第４液晶表示モジュール８８〜９１は、全て１２８０×１０２４ドットの解像度を持つ、つまり、４つのモジュールで２５６０×２０４８ドットの画面を構成するものとして、また、この構成を「マルチパネル構成」と呼び、以下説明する。
【００５９】
９２は第１第２モジュール間通信データ、９３は第１第２モジュール間通信クロック、９４は第２第３モジュール間通信データ、９５は第２第３モジュール間通信クロック、９６は第３第４モジュール間通信データ、９７は第３第４モジュール間通信クロックであり、通信データ６、通信クロック７と同様の形式の信号である。この第一第２モジュール間通信データ９２、第1第2モジュール間通信クロック９３等により、各々第１モジュール８８から第２液晶モジュール８９、第２モジュール８９から第３液晶モジュール９０、第３モジュール９０から第４液晶モジュール９１へと、モジュールの識別を行うモジュールＩＤを割り当てる。モジュール８８、８９は、これら、第1第2モジュール間通信データ９２、第1第2モジュール間通信クロック９２の転送を行う通信手段を備える。なお、それぞれのモジュールには、通信データ、通信クロックを転送するための通信手段が設けられている。
【００６０】
９８は第２第３第４モジュールデータ有効信号、９９は第２第３第４モジュール表示データ、１００は第２第３第４モジュール同期クロックであり、第１液晶表示モジュール８８は、表示データ４が自身のパネルに表示すべきデータであるかを判断、処理し、そうでなければ、処理せずに次の液晶表示モジュールヘ表示データを転送するよう、第２第３第４モジュールデータ有効信号９８、第２第３第４モジュール表示データ９９、第２第３第４モジュール同期クロック１００として出力する。１０１は第３第４モジュールデータ有効信号、１０２は第３第４モジュール表示データ、１０３は第３第４モジュール同期クロックであり、第２波晶表示モジュール８９は、第２第３第４モジュール表示データ９９が自身のパネルに表示すべきデータであるかを判断、処理し、そうでなければ、処理せずに次の液晶表示モジュールヘ表示データを転送するよう、第３第４モジュールデータ有効信号１０１、第３第４モジュール表示データ１０２、第３第４モジュール同期クロック１０３として出力する。１０４は第４モジュールデータ有効信号、１０５は第４モジュール表示データ、１０６は第４モジュール同期クロックであり、第３液晶表示モジュール９０は、第３第４モジュール表示データ１０２が自身のパネルに表示すべきデータであるかを判断、処理し、そうでなければ、処理せずに次の液晶表示モジュールヘ表示データを転送するよう、第４モジュールデータ有効信号１０４、第４モジュール表示データ１０５、第４モジュール同期クロック１０６として出力する。
【００６１】
図１０は、図９記載の第１液晶表示モジュール８８の内部構成の一実施例である。第２〜第３液晶表示モジュール８９〜９１も同様の構成である。
【００６２】
図１０において、１０６はマルチパネル表示制御部であり、通信データ６、第１第２モジュール間通信データ９２を介して割り当てられるモジュールＩＤと、各々のＩＤが２５６０×２０４８ドットのなかのどこにあたるかを示す情報（以下サブパネル情報と呼ぶ）と、表示データ４に付加されている表示位置パラメータに従って、表示データ４が、自身のパネルに表示すべきデータであるかどうかを判断し、その場合は、実施形態１と同様の拡大処理を行う。自身のパネルのデータでない場合は拡大処理は行わずに、第２第３第４モジュールデータ有効信号９８、第２第３第４モジュール表示データ９９、第２第３第４モジュール同期クロック１００として出力する。その他、画面格納手段１４、データ線駆動手段１６、走査線駆動手段１８、液晶パネル２０は、実施形態１と同様の動作である。
【００６３】
図１１は、図１０記載のマルチパネル表示制御部１０６の内部構成の一実施例である。
【００６４】
図１１において、１０７はマルチパネルパラメータ制御部、１０８はマルチパネル拡大制御部であり、マルチパネルパラメータ制御部１０７は、マルチパネル拡大制御部１０８、格納制御部２９、液晶表示信号生成部３２が必要とする制御パラメータを、パラメータデータ２２として、予め決められたパラメータアドレス２３を付加してパラメータライトストローブ２４のタイミングで出力する。マルチパネル拡大制御部１０８は、パラメータアドレス２３から、自身が必要とするパラメータであるかどうかを判断して、パラメータデータ２２を取り込む。本実施形態では、本発明に関係する拡大制御部に必要な、自身がマルチパネルのなかのどの位置にあるのかを示すサブパネル情報がこのパラメータアドレス２３に含まれるものとして以下説明する。
【００６５】
マルチパネル拡大制御部１０８は、パラメータアドレス２３から、予め決められたサブパネル情報を表すパラメータアドレスであるかどうかを判断し、パラメータデータ２２を取り込む。次に、サブパネル情報から、表示データ４が自身のパネルに表示すべきデータのときは、実施形態１と同様に、データ有効信号３、表示データ４、同期クロック５、格納タイミング信号３０から、拡大表示データ２７、拡大表示データアドレス２８を生成する。自身のパネルに表示すべきデータでないときは、第２第３第４モジュールデータ有効信号９８、第２第３第４モジュールデータ有効信号９９、第２第３第４モジュールデータ有効信号１００を出力する。その他、格納制御部２９、液晶表示信号生成部３２は、実施形態１と同様の動作である。
【００６６】
図１２は、図１１記載のマルチパネル拡大制御部１０８の内部構成の一実施例を示す図である。
【００６７】
図１２において、１０９はマルチパネルパラメータ格納部、１１０はサプパネル情報信号、１１１はマルチパネル本信号分離部であり、マルチパネルパラメータ格納部１０９は、パラメータアドレス２３がサブパネル情報を示すアドレスのとき、パラメータデータ２２を、パラメータライトストローブ２４に従って取り込み、サブパネル情報信号１１０として出力する。本実施例では、サブパネル情報信号１１０は、モジュールＩＤに対する表示位置のスタート位置の座標とするものとして以下説明する。マルチパネル本信号分離部１１１は、サブパネル情報信号１１０と、表示データ４に含まれる表示制御パラメータから、表示データ４が自身のパネルに表示すべきデータであるかどうかを判別し、表示すべきデータのときは、実施形態１の動作と同様に、先頭信号、終了信号と、本信号を分離し、パケットモード表示有効信号５６、パケットモード表示データ５７、パケットモード同期クロック５８を生成する。表示すべきデータでないときは、第２第３第４モジュールデータ有効信号９８、第２第３第４モジュールデータ有効信号９９、第２第３第４モジュールデータ有効信号１００を出力する。その他、データ拡大処理部６０、アドレス処理部６１は、実施形態１と同様の動作である。
【００６８】
図１３は、マルチパネルヘウィンドウ領域を拡大表示する概念を示す図である。
【００６９】
図１３において、１１２は第１画面、１１３は第２画面、１１４は第３画面、１１５は第４画面、１１６はウィンドウ領域、１１７は拡大表示領域であり、第１〜第４画面１１２〜１１５は、各々１２８０×１０２４ドットの画面であり、４つ合わせて２５６０×２０４８ドットの領域に、ウィンドウ領域１１６のデータを拡大し、拡大表示領域１１７に表示する、ホスト側から見たイメージである。１１８は第１画面領域データ、１１９は第２画面領域データ、１２０は第３画面領域データ、１２１は第４画面領域データであり、ウィンドウ領域１１６を拡大したときの拡大領域１１７が属する画面から、拡大前のウィンドウ領域を分割したものである。１２２は第１液晶パネル表示、１２３は第２液晶パネル表示、１２４は第３液晶パネル表示、１２５は第４液晶パネル表示、１２６は第１パネルウィンドウ拡大表示、１２７は第２パネルウィンドウ拡大表示、１２８は第３パネルウィンドウ拡大表示、１２９は第４パネルウィンドウ拡大表示であり、第１〜第４液晶パネル表示１２２〜１２５を合わせて一つの画面とするマルチパネル上に、第１〜第４画面領域データ１１８〜１２１を各々拡大処理して、第１〜第４パネルウィンドウ表示１２６〜１２９としている。
【００７０】
以下、図９〜１３を用いて、本実施形態における、マルチパネル上にウィンドウ領域を拡大表示する動作について説明する。
【００７１】
図９で、まず最初に第１液晶表示モジュール８８が、モジュールＩＤが“１”であることを、第２液晶表示モジュール８９へ、第１第２モジュール間通信データ９２を介して知らせる。以降、第２液晶表示モジュール８９が、モジュールＩＤが“２”であることを、第３液晶表示モジュール９０へ、第２第３モジュール間通信データ９４を介して知らせ、第３液晶表示モジュール９０が、モジュールＩＤが“３”であることを、第４液晶表示モジュール９１へ、第３第４モジュール間通信データ９６を介して知らせる。全てのモジュールＩＤは、各通信データを介して、ホスト側に転送され、ホスト側は、各モジュールＩＤに対して、全体の２５６０×２０４８ドットの画面のなかの、表示すべき１２８０×１０２４ドットの領域をサブパネル情報として、通信データ６を介して転送する。以上で、第１〜第４液晶表示モジュール８８〜９１各々が、表示データ４のなかの表示すべき表示データを判別することが可能となる。
【００７２】
次に、第１液晶表示モジュール８８は、先に述べたサブパネル情報と、表示データ４に付加されているウィンドウ表示位置情報から、表示データ４が自身で表示すべきデータであるかどうかを判別し、表示すべきデータの場合は、データ有効信号３、表示データ４、同期クロック５に従って、自身で表示動作を行い、表示すべきデータでない場合は、第２第３第４データ有効信号９８、第２第３第４表示データ９９、第２第３第４同期クロック１００を出力する。同様に、第２液晶表示モジュール８９は、先に述べたサブパネル情報と、表示データ４に付加されているウィンドウ表示位置情報から、表示データ４が自身で表示すべきデータであるかどうかを判別し、表示すべきデータの場合は、第２第３第４データ有効信号９８、第２第３第４表示データ９９、第２第３第４同期クロック１００に従って、自身で表示動作を行い、表示すべきデータでない場合は、第３第４データ有効信号１０１、第３第４表示データ１０２、第３第４同期クロック１０３を出力する。第３液晶表示モジュール９０は、先に述べたサブパネル情報と、表示データ４に付加されているウィンドウ表示位置情報から、表示データ４が自身で表示すべきデータであるかどうかを判別し、表示すべきデータの場合は、第３第４データ有効信号１０１、第３第４表示データ１０２、第３第４同期クロック１０３に従って、自身で表示動作を行い、表示すべきデータでない場合は、第４データ有効信号１０４、第４表示データ１０５、第４同期クロック１０６を出力する。第４液晶表示モジュール９１は、第３第４データ有効信号１０１、第３第４表示データ１０２、第３第４同期クロック１０３に従って、表示動作を行う。
【００７３】
図１０〜１２を用いて、第１液晶表示モジュール８８の動作の詳細を説明する。第２〜第４液晶表示モジュール８９〜９１の動作も同様である。
【００７４】
図１０で、マルチパネル表示制御部１０６は、自身のモジュールＩＤが“１”であることを通信データ６を介してホスト側へ、第１第２モジュール間通信データ９２を介して第２液晶表示モジュールヘ、各々出力する。これにより、第２液晶モジュール８９以降は、順次“２”、“３”、“４”とモジュールＩＤを決定していく。全でのモジュールＩＤ割り当て後、ホスト側から、モジュールＩＤ “１”が、全体の２５６０×２０４８ドットのうちの左上１／４画面を表示するよう、サブパネル情報を通信データ６を介して転送する。マルチパネル表示制御部１０６は、このサブパネル情報と、表示データ４に付加されているウィンドウ表示位置情報から、表示データ４が自身の表示データであるかどうかを判別し、自身の表示データならば、実施形態１と同様な拡大処理を行い、その他、画面格納手段１４、データ線駆動手段１６、走査線駆動手段１８、液晶パネル２０も実施形態１と同様に動作することにより表示が行われる。自身の表示データでない場合、第２第３第４データ有効信号９８、第２第３第４表示データ９９、第２第３第４同期クロック１００として出力する。
【００７５】
図１１で、マルチパネルパラメータ制御部１０７は、先に述べたように、自身のモジュールＩＤが“１”であることを通信データ６を介してホスト側へ、第１第２モジュール間通信データ９２を介して第２液晶表示モジュールヘ、各々出力する。次に、ホスト側からの通信データ６、通信クロック７を介して転送されるサブパネル情報を、予め決められたパラメータアドレス２２を付加し、パラメータライトストローブ２４に同期して出力する。マルチパネル拡大制御部１０８は、パラメータアドレス２２がサブパネル情報を示すアドレスのとき、パラメータライトストローブ２４のタイミングに従って、パラメータデータ２３、つまりサブパネル情報のパラメータを取り込んでおく。詳細は後で説明する。次に、取り込んだサブパネル情報と、表示データ４に付加されているウィンドウ表示位置情報から、表示データ４が自身で表示するデータならば、データ有効信号３、表示データ４、同期クロック５から、拡大表示データアドレス２７、拡大表示データ２８を生成し、自身の表示するデータでない場合、データ有効信号３、表示データ４、同期クロック５から、第２第３第４データ有効信号９８、第２第３第４表示データ９９、第２第３第４同期クロック１００を生成する。詳細は後で説明する。その他、格納制御部２９、液晶表示信号生成部３２は、実施形態１と同様の動作である。
【００７６】
図１２で、マルチパラメータ格納部１０９は、パラメータデータアドレス２２から、パラメータデータ２３が、表示データ４が自身で表示するデータかどうかを判別するためのサブパネル情報を示すアドレスかどうかを判別し、パラメータライトストローブ２４のタイミングで取り込み、サブパネル情報信号１１０として出力する。マルチパネル本信号分離部１１１は、実施形態１と同様に、表示データ４から表示制御パラメータ部分を抽出し、その中に含まれるウィンドウ表示位置情報と、サブパネル情報信号１１０から、表示データ４が自身で表示するデータかどうかを判別し、自身の表示データならば、実施形態１と同様に、パケットモード表示有効信号５６、パケットモード表示データ５７を、パケットモード表示データ同期クロック５８に同期して出力する。自身の表示データでない場合、第２第３第４データ有効信号９８、第２第３第４表示データ９９、第２第３第４同期クロック１００を生成する。このとき、第１液晶表示モジュール８８で表示した表示データ、及びデータ有効信号の部分は、そのまま出力しても良いし、マスクして出力しない形としても良い。いずれにしろ、各液晶表示モジュールでは、サブパネル情報と、ウィンドウ表示位置情報から、自身に関係する表示データしか処理しないためである。その他、データ拡大処理部６０、アドレス処理部６１は、実施形態１と同様の動作である。
【００７７】
図１３を用いて、サブパネル情報と、ウィンドウ表示位置情報の詳細について説明する。
【００７８】
図１３で、ウィンドウ領域１１６は、第１画面１１２上にあるため、このままの大きさで表示する場合、表示データは第１液晶表示モジュールのみで処理することとなる。
【００７９】
しかし、拡大表示領域１１７に示すような表示を行う場合、拡大後のデータが各画面にまたがるため、拡大率から、ウィンドウ領域１１６内の表示データが、拡大後にどの画面に属することになるかを予め計算し、その属する画面毎に、第１〜第４画面領域データ１１８〜１２１に分割した領域を、各々の液晶表示モジュールで処理するよう判別を行う。拡大後にどの画面に属することになるかの計算は、外部情報処理装置から送られてくるウィンドウ水平方向スタート位置４２とウインドウ垂直方向スタート位置、ウインドウ拡大率４４と、各液晶表示モジュールの液晶表示パネルの表示領域に基づいて行われる。
【００８０】
したがって、第１画面領域データ１１８は第１液晶表示モジュール８８で処理され第１パネルウィンドウ拡大表示１２６、第２画面領域データ１１９は第２液晶表示モジュール８９で処理され第２パネルウィンドウ拡大表示１２７、第３画面領域データ１２０は第３液晶表示モジュール９０で処理され第３パネルウィンドウ拡大表示１２８、第４画面領域データ１２１は第４波晶表示モジュール９１で処理され第４パネルウィンドウ拡大表示１２９となり、第１〜第４液晶パネル表示１２２〜１２５で構成される２５６０×２０４８ドツトのマルチパネル上に、液晶パネルをまたがって拡大されたウィンドウ表示を行うことが可能となる。
【００８１】
（実施形態３）
本発明の実施例の第３の形態を、図面を用いて詳細に説明する。図面内で付した番号が実施形態１、２と同様のものは、構成、動作が同様であることを示す。
【００８２】
図１４は本発明の一実施形態である液晶表示装置の例である。
【００８３】
図１４において、３はデータ有効信号、４は表示データ、５は同期クロック、６は通信データ、７は通信クロックであり、実施形態２と同様に従来モードは扱わず、パケットモードのみについて説明する。１３０は第１パネル表示制御部、１３１は第１パネルデータ線駆動用信号、１３２は第１パネル走査線駆動用信号、１３３は第１パネル格納・読出しコマンド信号、１３４は第１パネル格納・読出しアドレス、１３５は第１パネル格納データ、１３６は第２第３第４パネルデータ有効信号、１３７は第２第３第４パネル表示データ、１３８は第２第３第４パネル同期クロック、１３９は第１第２パネル間通信データ、１４０は第１第２パネル間通信クロック、１４１は第１パネル画面格納手段、１４２は第１パネル画面読出しデータであり、第１パネル表示制御部１３０は、実施形態２と同様に、通信データ６、第１第２パネル間通信データ１３９を介して割り当てられるパネルＩＤと、各々のＩＤが全画面のなかのどこにあたるかを示す情報（以下サブパネル情報と呼ぶ）と、表示データ４に付加されている表示位置パラメータに従って、表示データ４が、自身のパネル（第１パネル）に表示すべきデータであるかどうかを判断し、その場合は、実施形態１と同様の拡大処理により、第１パネル格納・読出しコマンド１３３、第１パネル格納・読出しアドレス、第１パネル格納データ１３５を生成する。自身のパネルのデータでない場合は拡大処理は行わずに、第２第３第４パネルデータ有効信号１３６、第２第３第４パネル表示データ１３７、第２第３第４パネル同期クロック１３８として出力する。また、従来と同様に、第１パネルデータ線駆動用信号１３１、第１パネルデータ線駆動用信号１３２を生成する。第１パネル画面格納手段１４１は、第１、第２の実施形態と同様のものである。１４３は第１データ線駆動手段、１４４は第１データ線駆動信号、１４５は第１走査線駆動手段、１４６は第１走査線駆動信号であり、従来と同様に、後述する液晶パネルに印加する電圧を生成し、第１パネル部分の表示を行う。１４７は第２パネル表示制御部、１４８は第２パネルデータ線駆動用信号、１４９は第２パネル走査線駆動用信号、１５０は第２パネル格納・読出しコマンド信号、１５１は第２パネル格納・読出しアドレス、１５２は第２パネル格納データ、１５３は第３第４パネルデータ有効信号、１５４は第３第４パネル表示データ、１５５は第３第４パネル同期クロック、１５６は第２第３パネル間通信データ、１５７は第２第３パネル閻通信クロック、１５８は第２パネル画面格納手段、１５９は第２パネル画面読出しデータであり、第２パネル表示制御部１４７は、第１パネル表示制御部１３０と同様の動作により、第２パネルデータ線駆動用信号１４８、第２パネルデータ線駆動用信号１４９、第２パネル格納・読み出しコマンド１５０、第２パネル格納・読出しアドレス１５１、第２パネル格納データ１５２、第３第４パネルデータ有効信号１５３、第３第４パネル表示データ１５４、第３第４パネル同期クロック１５５を出力する。第２パネル画面格納手段１５８は、第１、第２の実施形態と同様のものである。１６０は第２データ線駆動手段、１６１は第２データ線駆動信号、１６２は第２走査線駆動手段、１６３は第２走査線駆動信号であり、従来と同様に、後述する液晶パネルに印加する電圧を生成し、第２パネル部分の表示を行う。１６４は第３パネル表示制御部、１６５は第３パネルデータ線駆動用信号、１６６は第３パネル走査線駆動用信号、１６７は第３パネル格納・読出しコマンド信号、１６８は第３パネル格納・読出しアドレス、１６９は第３パネル格納データ、１７０は第４パネルデータ有効信号、１７１は第４パネル表示データ、１７２は第４パネル同期クロック、１７３は第３第４パネル間通信データ、１７４は第３第４パネル間通信クロック、１７５は第３パネル画面格納手段、１７６は第３パネル画面読出しデータであり、第３パネル表示制御部１６４は、第１パネル表示制御部１３０、第２パネル表示制御部１４７と同様の動作により、第３パネルデータ線駆動用信号１６５、第３パネルデータ線駆動用信号１６６、第３パネル格納・読み出しコマンド１６７、第３パネル格納・読出しアドレス１６８、第３パネル格納データ１６９、第４パネルデータ有効信号１７０、第４パネル表示データ１７１、第４パネル同期クロック１７２を出力する。第３パネル画面格納手段１７５は、第１、第２の実施形態と同様のものである。１７７は第３データ線駆動手段、１７８は第３データ線駆動信号、１７９は第３走査線駆動手段、１８０は第３走査線駆動信号であり、従来と同様に、後述する液晶パネルに印加する電圧を生成し、第３パネル部分の表示を行う。１８１は第４パネル表示制御部、１８２は第４パネルデータ線駆動用信号、１８３は第４パネル走査線駆動用信号、１８４は第４パネル格納・読出しコマンド信号、１８５は第４パネル格納・読出しアドレス、１８６は第４パネル格納データ、１８７は第４パネル画面格納手段、１８８は第４パネル画面読出しデータであり、第４パネル表示制御部１８１は、第１パネル表示制御部１３０、第２パネル表示制御部１４７、第３パネル表示制御部１６４と同様の動作により、第４パネルデータ線駆動用信号１８２、第４パネルデータ線駆動用信号１８３、第４パネル格納・読み出しコマンド１８４、第４パネル格納・読出しアドレス１８５、第４パネル格納データ１８６を出力する。第４パネル画面格納手段１８７は、第１、第２の実施形態と同様のものである。１８９は第４データ線駆動手段、１９０は第４データ線駆動信号、１９１は第４走査線駆動手段、１９２は第４走査線駆動信号であり、従来と同様に、後述する液晶パネルに印加する電圧を生成し、第４パネル部分の表示を行う。１９３は貼り合わせ液晶パネル、１９４は第１パネル領域、１９５は第２パネル領域、１９６は第３パネル領域、１９６は第４パネル領域であり、貼り合わせ液晶パネル１９３は、見かけ上は一枚の液晶パネルであるが、第１〜第４パネル領域１９４〜１９６の４面に分割して各々駆動している。本実施例では、第１〜第４パネル領域１９４〜１９６が１２８０×１０２４ドット、したがって、貼り合わせ液晶パネルの解像度が２５６０×２０４８ドットとして以下説明する。
【００８４】
動作について説明する。
【００８５】
図１４で、第２の実施形態と同様に、まず、第１パネル表示制御部１３０が、パネルＩＤ“１”であることを、第２パネル表示制御部１４７へ、第１第２パネル間通信データ１３９を介して知らせる。以降、第２パネル表示制御部１４７が、モジュールＩＤ“２”であることを、第３パネル表示制御部１６４へ、第２第３パネル間通信データ１５６を介して知らせ、第３パネル表示制御部１６４が、モジュールＩＤ“３”であることを、第４パネル表示制御部１８１へ、第３第４パネル間通信データ１７３を介して知らせる。全てのパネルＩＤは、各通信データを介して、ホスト側に転送され、ホスト側は、各パネルＩＤに対して、全体の２５６０×２０４８ドットの画面のなかの、表示すべき１２８０×１０２４ドットの領域をサブパネル情報として、通信データ６を介して転送する。以上で、第１〜第４表示制御部１３０、１４７、１６４、１８１各々が、表示データ４のなかの表示すべき表示データを判別することが可能となる。次に、第１パネル表示制御部１３０は、先に述べたサブパネル情報と、表示データ４に付加されているウィンドウ表示位置情報から、表示データ４が自身で表示すべきデータであるかどうかを判別し、表示すべきデータの場合は、データ有効信号３、表示データ４、同期クロック５に従って、自身で表示動作を行うよう、実施形態１と同様な拡大処理を行い、第１パネルデータ線駆動用信号１３１、第１パネル走査線駆動用信号１３２、第１パネル格納・読出しコマンド１３３、第１パネル格納・読出しアドレス１３４、第１パネル格納データ１３５を生成する。その他、第１パネル画面格納手段１４１、第１データ線駆動手段１４３、走査線駆動手段１４５、第１パネル領域１９４も実施形態１と同様に動作することにより表示を行う。表示すべきデータでない場合は、第２第３第４パネルデータ有効信号１３６、第２第３第４パネル表示データ１３７、第２第３第４パネル同期クロック１３７を出力する。第２パネル表示制御部１４７は、先に述べたサブパネル情報と、表示データ４に付加されているウィンドウ表示位置情報から、表示データ４が自身で表示すべきデータであるかどうかを判別し、表示すべきデータの場合は、第２第３第４パネルデータ有効信号１３６、第２第３第４パネル表示データ１３７、第２第３第４パネル同期クロック１３８に従って、自身で表示動作を行うよう、実施形態１と同様な拡大処理を行い、第２パネルデータ線駆動用信号１４８、第２パネル格納・読出しコマンド１５０、第２パネル格納・読出しアドレス１５１、第２パネル格納データ１５２を生成する。第２走査線駆動用信号１４９は、第２走査線駆動手段１６２の液晶パネルに対する接続方向が実施形態１とは異なるため、液晶パネルの走査方向が実施形態１と同様となるように、つまり、第２走査線駆動手段１６２が、第１走査線駆動手段１４５とは逆方向に走査するように生成する。第２パネル画面格納手段１５８、第２データ線駆動手段１６０、第２パネル領域１９５は、実施形態１と同様に動作することにより表示を行う。表示すべきデータでない場合は、第３第４パネルデータ有効信号１５３、第３第４パネル表示データ１５４、第３第４パネル同期クロック１５５を出力する。第３パネ��表示制御部１６４は、先に述べたサブパネル情報と、表示データ４に付加されているウィンドウ表示位置情報から、表示データ４が自身で表示すべきデータであるかどうかを判別し、表示すべきデータの場合は、第３第４パネルデータ有効信号１５３、第３第４パネル表示データ１５４、第３第４パネル同期クロック１５５に従って、自身で表示動作を行うよう、実施形態１と同様な拡大処理を行い、第３パネル格納・読出しコマンド１６７、第３パネル格納・読出しアドレス１６８、第３パネル格納データ１６９を生成する。第３パネルデータ線駆動用信号１６５は、第３データ線駆動手段１７７の液晶パネルに対する接続方向が実施形態１とは異なるため、表示データの並びが実施形態１と同様に左側から順となるように、つまり、第３データ線駆動手段１７７が、第１データ線駆動手段１４３とは逆方向にデータを並べるように生成する。第３走査線駆動用信号１６６は、第３走査線駆動手段１７９の液晶パネルに対する接続方向が実施形態１とは異なるため、液晶パネルの走査方向が実施形態１と同様となるように、つまり、第３走査線駆動手段１７９が、第１走査線駆動手段１４５とは逆方向に走査するように生成する。第３パネル画面格納手段Ｉ７５、第３パネル領域１９６は実施形態１と同様に動作することにより表示を行う。表示すべきデータでない場合は、第４パネルデータ有効信号１７０、第４パネル表示データ１７１、第４パネル同期クロック１７２を出力する。第４パネル表示制御部１８１は、先に述べたサブパネル情報と、表示データ４に付加されているウィンドウ表示位置情報から、表示データ４が自身で表示すべきデータであるかどうかを判別し、表示すべきデータの場合は、第４パネルデータ有効信号１７０、第４パネル表示データ１７１、第４パネル同期クロック１７２に従って、自身で表示動作を行うよう、実施形態１と同様な拡大処理を行い、第４パネル走査線駆動用信号１５３、第４パネル格納・読出しコマンド１８４、第４パネル格納・読出しアドレス１８５、第４パネル格納データ１８６を生成する。第４パネルデータ線駆動用信号１８２は、第４データ線駆動手段１８９の液晶パネルに対する接続方向が実施形態１とは異なるため、表示データの並びが実施形態１と同様に左側から順となるように、つまり、第４データ線駆動手段１８９が、第１データ線駆動手段１４３とは逆方向にデータを並べるように生成する。第４パネル画面格納手段１８７、第４走査線駆動手段１９１、第４パネル領域１９７は実施形態１と同様に動作することにより表示を行う。
【００８６】
したがって、第３の実施形態は、拡大処理、画面格納処理については、第２の実施形態と同様の動作であり、データ線駆動、走査線駆動が異なるだけである。
【００８７】
【発明の効果】
本願において開示される発明によって得られる効果を簡単に説明すれば、以下のとおりである。
【００８８】
更新したい領域の表示データに付加された拡大率に従って拡大処理を行う拡大処理手段と、一画面分の画面格納手段を液晶表示装置に設けることにより、解像度の小さい表示画面を高精細液晶に表示する場合に、表示データの転送レートを上げることなく、高精細、大画面の表示が可能となる。
【００８９】
また、拡大処理後の表示データを画面格納手段に書き込むことにより、画面格納手段上の画面イメージが、液晶パネルの表示イメージと同一となるため、液晶パネルのラスタスキヤンに対応した簡略な読出しが可能となる。
【図面の簡単な説明】
【図１】本発明の実施形態１の表示装置のブロック図である。
【図２】図１記載の表示制御部の内部構成の一実施例を示すブロック図である。
【図３】本発明のパケットデータの一実施例を示す図である。
【図４】本発明のパケットデータによる画像転送イメージを示す図である。
【図５】図２記載の拡大制御部の内部構成の一実施例を示すブロック図である。
【図６】図５記載の本信号分離部の動作を示す図である。
【図７】図５記載のデータ拡大処理部の動作を示す図である。
【図８】本発明のパケット転送から拡大表示までの画像イメージの流れを示す図である。
【図９】本発明の実施形態２の表示装置のブロック図である。
【図１０】図９記載の液晶表示モジュールの内部構成の一実施例を示すブロック図である。
【図１１】図１０記載のマルチパネル表示制御部の内部構成の一実施例を示すブロック図である。
【図１２】図１１記載のマルチパネル拡大制御部の内部構成の一実施例を示すブロック図である。
【図１３】本発明におけるマルチパネルでのウィンドウ拡大表示の概念を示す図である。
【図１４】本発明の実施形態３の表示装置のブロック図である。
【符号の説明】
１…垂直同期信号、２…水平同期信号、３…データ有効信号、４…表示データ、５…同期クロック、６…通信データ、７…通信クロック、８…表示制御部、９…データ線駆動用信号、１０…走査線駆動用信号、１１…格納・読出しコマンド信号、１２…格納・読出しアドレス、１３…格納データ、１４…画面格納手段、１５…画面読出しデータ、１６…データ線駆動手段、１７…データ線駆動信号、１８…走査線駆動手段、１９…走査線駆動信号、２０…液晶パネル、２１…パラメータ制御部、２２…パラメータデータ、２３…パラメータアドレス、２４…パラメータライトストローブ、２５…拡大制御部、２６…データ転送エラー信号、２７…拡大表示データ、２８…拡大表示データアドレス、２９…拡大制御部、３０…格納タイミング信号、３１…液晶パネル表示データ、３２…液晶表示信号生成部、３３…第１パケット、３４…第２パケット、３５…第３パケット、３６…先頭信号、３７…本信号、３８…終了信号、３９…ウィンドウＩＤ、４０…本信号タイプ、４１…本信号アドレス、４２…ウィンドウ水平方向スタート位置、４３…ウィンドウ垂直方向スタート位置、４４…ウィンドウ拡大率、４５…ウィンドウ表示データ、４６…全体画面、４７…ウィンドウ領域、４８…ウィンドウ領域スタート位置、４９…パケット領域、５０…パケット領域スタート位置、５１…パラメータ格納部、５２…データ転送モード信号、５３…データ拡大率、５４…データ表示位置、５５…本信号分離部、５６…パケットモード表示有効信号、５７…パケットモード表示データ、５８…パケットモード同期クロック、５９…パケットモードパラメータ。
【図１】
0003877943.tif 000002
【図２】
0003877943.tif 000003
【図３】
0003877943.tif 000004
【図４】
0003877943.tif 000005
【図５】
0003877943.tif 000006
【図６】
0003877943.tif 000007
【図７】
0003877943.tif 000008
【図８】
0003877943.tif 000009
【図９】
0003877943.tif 000010
【図１０】
0003877943.tif 000011
【図１１】
0003877943.tif 000012
【図１２】
0003877943.tif 000013
【図１３】
0003877943.tif 000014
【図１４】
0003877943.tif 000015